(57)【要約】【課題】貼り付けた管理対象物２との一体不可分性を実現することができる二次元コード１を提供する。【解決手段】管理対象物２に貼着された二次元コード本体１０と、この二次元コード本体１０上に透明ポリウレタン樹脂３を介して貼着されたガラス連続繊維シート４と、このガラス連続繊維シート４を封止したポリウレタン樹脂５と、ファイナルコーティングとしての透明ポリウレタン樹脂６を有して二次元コート１を構成する。【選択図】図１
2012113551.tif 000002
【特許請求の範囲】
【請求項１】
所定の情報が識別可能に表示されると共に、対象物に貼着された識別子本体と、
該識別子本体上に貼着されたガラス連続繊維シートと、
該ガラス連続繊維シートを封止した樹脂材料とを備える透明若しくは半透明の識別子であって、
前記対象物と前記識別子本体との接着強度よりも、前記識別子本体と前記ガラス連続繊維シートとの接着強度が小さい
識別子。
【請求項２】
前記識別子本体は紙から成る
請求項１に記載の識別子。
【請求項３】
前記ガラス連続繊維シートは、
複数の第１のガラス繊維糸を有し、該第１のガラス繊維糸同士が所定の間隙を介して略平行に配置された第１のガラス繊維と、
前記第１のガラス繊維糸とは異なる向きに配置された複数の第２のガラス繊維糸を有し、該第２のガラス繊維糸同士が所定の間隙を介して略平行に配置された第２のガラス繊維と、
前記第１のガラス繊維糸及び前記第２のガラス繊維糸とは異なる向きに配置された複数の第３のガラス繊維糸を有し、該第３のガラス繊維糸同士が所定の間隙を介して略平行に配置された第３のガラス繊維と、
前記第１のガラス繊維糸、前記第２のガラス繊維糸及び前記第３のガラス繊維糸とは異なる向きに配置された複数の第４のガラス繊維糸を有し、該第４のガラス繊維糸同士が所定の間隙を介して略平行に配置された第４のガラス繊維とを有し、
前記第１のガラス繊維糸、前記第２のガラス繊維糸、前記第３のガラス繊維糸若しくは前記第４のガラス繊維糸から任意に選択された２つのガラス繊維糸の交点が、他のガラス繊維糸同士の間隙に位置すべく構成された
請求項１または請求項２に記載の識別子。
【請求項４】
前記第２のガラス繊維糸は前記第１のガラス繊維糸と略４５度の角度をなし、前記第３のガラス繊維糸は前記第１のガラス繊維糸と略９０度の角度をなし、前記第４のガラス繊維糸は前記第１のガラス繊維糸と略１３５度の角度をなして構成された
請求項３に記載の識別子。
【請求項５】
管理対象物を携帯端末で撮影し、撮影日時を示す情報と一体不可分な状態の画像を記録する工程と、
管理対象物と一体不可分に貼付された識別子を前記携帯端末で読み取ることで得られる所定の電子メールアドレス宛に、前記画像を添付した電子メールを送信し、管理サーバが有する管理者端末のみがアクセス可能に構成された記録手段に前記画像と同画像が添付された電子メールの送信日時を記録する工程と、
前記記録手段に記録された画像のうち、管理者端末から通信回線を介して公開許可がなされた画像を、同画像が添付された電子メールの送信日時と共に、管理サーバが有する外部からアクセス可能に構成された公開手段に記録する工程とを備える
進捗管理方法。
【請求項６】
前記識別子は、
所定の情報が識別可能に表示されると共に、対象物に貼着された識別子本体と、
該識別子本体上に貼着されたガラス連続繊維シートと、
該ガラス連続繊維シートを封止した樹脂材料とを備える透明若しくは半透明の識別子であって、
前記対象物と前記識別子本体との接着強度よりも、前記識別子本体と前記ガラス連続繊維シートとの接着強度が小さい
請求項５に記載の進捗管理方法。
【請求項７】
管理者端末のみがアクセス可能に構成された記録手段と、外部からアクセス可能に構成された公開手段とを有する管理サーバを備える進捗管理システムであって、
前記記録手段は、管理対象物と一体不可分に貼付された識別子を携帯端末で読み取ることで得られる所定の電子メールアドレス宛に電子メールに添付して送信された、管理対象物を携帯端末で撮影し、撮影日時を示す情報と一体不可分な状態の画像と、同画像が添付された電子メールの送信日時が記録され、
前記公開手段は、前記記録手段に記録された画像のうち、管理者端末から通信回線を介して公開許可がなされた画像を、同画像が添付された電子メールの送信日時と共に記録される
進捗管理システム。
【請求項８】
前記識別子は、
所定の情報が識別可能に表示されると共に、対象物に貼着された識別子本体と、
該識別子本体上に貼着されたガラス連続繊維シートと、
該ガラス連続繊維シートを封止した樹脂材料とを備える透明若しくは半透明の識別子であって、
前記対象物と前記識別子本体との接着強度よりも、前記識別子本体と前記ガラス連続繊維シートとの接着強度が小さい
請求項７に記載の進捗管理システム。
【発明の詳細な説明】
【技術分野】
【０００１】
本発明は識別子、進捗管理方法及び進捗管理システムに関する。詳しくは、貼付した対象物との一体不可分性を担保することが可能な識別子、更には、こうした識別子を利用した進捗管理方法及び進捗管理システムに係るものである。
【背景技術】
【０００２】
一般に、住宅等の建物を建築する建築工事は極めて多くの工程に分かれており、工務店の設計に始まり、各工程をそれぞれ違った専門の工事業者が施工することとなる。また、建築資材は資材メーカーから調達業者が調達した上で搬入業者が搬入することもある。
【０００３】
この様に、住宅等の建物を建築する場合には、極めて多くの業者が関与することとなり、作業の進捗管理は一般に複雑になる。
【０００４】
そして、特許文献１及び特許文献２には、管理対象物（建設資材等）にＩＣタグや識別情報を印字したラベルを貼付し、ＩＣタグやラベルの情報に基づいて複雑化した建築工事等の進捗管理を行うシステムが提案されている。
【先行技術文献】
【特許文献】
【０００５】
【特許文献１】特開２００４−５９２９４号
【特許文献２】特開２００７−３２３４９７号
【発明の概要】
【発明が解決しようとする課題】
【０００６】
ところで、上述した特許文献１や特許文献２に記載されたシステムでは、管理対象物とＩＣタグやラベルが一体不可分に貼付されていることが前提となっている。
即ち、ＩＣタグやラベルが管理対象物に貼付されていることを前提として管理するシステムであり、ＩＣタグやラベルが管理対象物から剥がされて、他の物に貼付される等の不正があった場合には、進捗管理ができないこととなる。
【０００７】
しかしながら、一般的なＩＣタグやラベルでは、管理対象物との一体不可分性を担保することが困難である。
【０００８】
本発明は以上の点に鑑みて創案されたものであって、貼付した対象物との一体不可分性を担保し、確実な進捗管理を実現することができる識別子を提供することを目的とするものである。また、こうした識別子を利用した進捗管理方法及び進捗管理システムを提供することを目的とするものである。
【課題を解決するための手段】
【０００９】
上記の目的を達成するために、本発明の識別子では、所定の情報が識別可能に表示されると共に、対象物に貼着された識別子本体と、該識別子本体上に貼着されたガラス連続繊維シートと、該ガラス連続繊維シートを封止した樹脂材料とを備える透明若しくは半透明の識別子であって、前記対象物と前記識別子本体との接着強度よりも、前記識別子本体と前記ガラス連続繊維シートとの接着強度が小さくなる様に構成されている。
【００１０】
ここで、対象物と識別子本体との接着強度よりも、識別子本体とガラス連続繊維シートとの接着強度が小さいことによって、識別子本体を対象物から剥離しようとすると、識別子本体が破損してしまうこととなる。そのため、対象物と識別子本体との一体不可分性を担保することができ、識別子本体を対象物から他の物への付け替えを抑止することができる。
【００１１】
なお、識別子は透明若しくは半透明に構成されているために、ガラス連続繊維シート及び樹脂材料を介しても、識別子は携帯電話等で充分に読み取ることが可能である。
【００１２】
また、ガラス連続繊維シートが、複数の第１のガラス繊維糸を有し、この第１のガラス繊維糸同士が所定の間隙を介して略平行に配置された第１のガラス繊維と、第１のガラス繊維糸とは異なる向きに配置された複数の第２のガラス繊維糸を有し、この第２のガラス繊維糸同士が所定の間隙を介して略平行に配置された第２のガラス繊維と、第１のガラス繊維糸及び第２のガラス繊維糸とは異なる向きに配置された複数の第３のガラス繊維糸を有し、この第３のガラス繊維糸同士が所定の間隙を介して略平行に配置された第３のガラス繊維と、第１のガラス繊維糸、第２のガラス繊維糸及び第３のガラス繊維糸とは異なる向きに配置された複数の第４のガラス繊維糸を有し、この第４のガラス繊維糸同士が所定の間隙を介して略平行に配置された第４のガラス繊維とを有し、第１のガラス繊維糸、第２のガラス繊維糸、第３のガラス繊維糸若しくは第４のガラス繊維糸から任意に選択された２つのガラス繊維糸の交点が、他のガラス繊維糸同士の間隙に位置すべく構成された場合には、第１のガラス繊維糸〜第４のガラス繊維糸が同一箇所で最大でも２つしか交差しないこととなり、ガラス連続繊維シートの薄膜化が実現する。
なお、ガラス連続繊維シートが薄膜化することによって、識別子の読み取りが一層容易になる。
【００１３】
更に、第２のガラス繊維糸が第１のガラス繊維糸と略４５度の角度をなし、第３のガラス繊維糸が第１のガラス繊維糸と略９０度の角度をなし、第４のガラス繊維糸が第１のガラス繊維糸を略１３５度の角度をなして構成された場合には、第１のガラス繊維糸〜第４のガラス繊維糸が均等に配置されることとなり、ガラス繊維シートの厚さの均一性が向上する。
なお、ガラス連続繊維シートの厚さの均一性が向上することによって、識別子の読み取りがより一層容易になる。
【００１４】
また、上記の目的を達成するために、本発明の進捗管理方法では、管理対象物を携帯端末で撮影し、撮影日時を示す情報と一体不可分な状態の画像を記録する工程と、管理対象物と一体不可分に貼付された識別子を前記携帯端末で読み取ることで得られる所定の電子メールアドレス宛に、前記画像を添付した電子メールを送信し、管理サーバが有する管理者端末のみがアクセス可能に構成された記録手段に前記画像と同画像が添付された電子メールの送信日時を記録する工程と、前記記録手段に記録された画像のうち、管理者端末から通信回線を介して公開許可がなされた画像を、同画像が添付された電子メールの送信日時と共に、管理サーバが有する外部からアクセス可能に構成された公開手段に記録する工程とを備える。
【００１５】
更に、上記の目的を達成するために、本発明の進捗管理システムでは、管理者端末のみがアクセス可能に構成された記録手段と、外部からアクセス可能に構成された公開手段とを有する管理サーバを備える進捗管理システムであって、前記記録手段は、管理対象物と一体不可分に貼付された識別子を携帯端末で読み取ることで得られる所定の電子メールアドレス宛に電子メールに添付して送信された、管理対象物を携帯端末で撮影し、撮影日時を示す情報と一体不可分な状態の画像と、同画像が添付された電子メールの送信日時が記録され、前記公開手段は、前記記録手段に記録された画像のうち、管理者端末から通信回線を介して公開許可がなされた画像を、同画像が添付された電子メールの送信日時と共に記録される様に構成されている。
【００１６】
ここで、管理対象物を携帯端末で撮影し、撮影日時を示す情報と一体不可分な状態で画像を記録（例えば、撮影日時から画像ファイルの名称を決定して記録）し、続いて、管理対象物と一体不可分に貼付された識別子を携帯端末で読み取ることで得られる所定の電子メールアドレス宛に、画像を添付した電子メールを送信し、管理サーバが有する管理者端末のみがアクセス可能に構成された記録手段に画像と画像が添付された電子メールの送信日時を記録することによって、管理者端末を利用する管理者が記録手段にアクセスすることで画像の撮影日時と送信日時を確認することができる。
【００１７】
なお、画像は撮影日時を示す情報と一体不可分な状態であるために、画像の撮影日時の改竄等の不正を行うことができず、過去に撮影した他の画像を代用するといった不正を抑制することができる。また、識別子が管理対象物と一体不可分に貼付されているために、管理対象物と画像との一体性を担保することができ、識別子を管理対象物から剥がして他の場所から電子メールを送信するといった不正を抑制することができる。
即ち、画像と撮影日時の一体不可分性を担保すると共に、管理対象物と画像の一体不可分性を担保することによって、管理対象物、日時及び場所の一体不可分性を担保することができ、撮影日時や撮影場所等を偽った画像の送信を抑制することが可能となる。
【００１８】
また、記録手段に記録された画像のうち、管理者端末からインターネット回線等の通信回線を介して公開許可がなされた画像のみが公開手段に記録されることによって、記録手段に記録された画像の撮影日時と送信日時とを管理者が確認し、所定の条件（撮影日時や撮影場所を偽っていないであろうと考えられる条件であり、例えば、「撮影日時から送信日時までの時間差が１０分」といった条件）を満たす画像のみを公開手段に記録することが可能となる。
【００１９】
但し、必ずしも所定の条件を満たしている画像のみを公開手段に記録する必要はなく、仮に所定の条件を満たしていない画像を公開手段に記録したとしても、公開手段には画像と共に送信日時をも記録されるため、公開手段にアクセスをした場合には、所定の条件を満たしているか否かを確認することができる。
【００２０】
そのため、管理者が所定の条件を満たすか否かを確認する場合には、所定の条件を満たす画像のみを公開許可を行うこととし、管理者が所定の条件を満たすか否かの確認については必ずしも行わない場合には、所定の条件を満たしていない画像をも含めて公開許可を行うこととしても良い。
【００２１】
なお、「外部からアクセス可能に構成された公開手段」とは、広く第３者からのアクセスが可能であり、何らのアクセス制限がなされていないといった意味ではなく、管理者端末のみにアクセスを認めている記録手段が外部からのアクセスを一切認めていないのに対して、管理者端末以外の端末（外部の端末）からのアクセスをも認めるといった意味である。そのため、汎用のアクセス制御手段を用いて（例えば、ＩＤとパスワード等を用いて）、公開手段にアクセスできる者を制限しても構わないことは勿論である。
【発明の効果】
【００２２】
本発明の識別子では、貼付した対象物との一体不可分性を担保することができ、対象物の充分な管理を実現することができる。また、本発明の進捗管理方法及び進捗管理システムでは、管理対象物と識別子との一体不可分性が担保されていることもあり、充分な管理を実現することが可能となる。
【図面の簡単な説明】
【００２３】
【図１】本発明を適用した識別子の一例である二次元コードを説明するための模式図である。
【図２】ガラス連続繊維シートの構成を説明するための模式図である。
【図３】二次元コードの一体不可分性を説明するための模式図である。
【図４】本発明を適用した二次元コードを利用した建築物の管理システムの一例を説明するための模式図である。
【発明を実施するための形態】
【００２４】
以下、本発明を実施するための形態（以下、「実施の形態」と称する）について説明を行う。
図１は本発明を適用した識別子の一例である二次元コード１を説明するための模式図である。ここで示す二次元コード１は、管理対象物２と、管理対象物２の表面に貼り付けられた二次元コード本体１０と、二次元コード本体１０の表面に透明ポリウレタン樹脂３を介して貼着されたガラス連続繊維シート４を有する。また、ガラス連続繊維シート４を封止するポリウレタン樹脂５と、ファイナルコーティングとしての透明ポリウレタン樹脂６を有する。
【００２５】
なお、透明ポリウレタン樹脂３、ガラス連続繊維シート４、ポリウレタン樹脂５及び透明ポリウレタン樹脂６で構成される構造は透明（半透明）を呈しており、透明ポリウレタン樹脂３、ガラス連続繊維シート４、ポリウレタン樹脂５及び透明ポリウレタン樹脂６を介して二次元コード本体１０の情報が読み取り可能である。
【００２６】
ここで、管理対象物としては、建設資材、建築物本体等が挙げられる。また、二次元コード本体１０としては、紙に二次元バーコードを印刷したもの等が考えられる。
【００２７】
また、透明ポリウレタン樹脂３、５、６としては、例えば、Ｌｉｑｕｉｄ  Ｐｌａｓｔｉｃｓ  Ｌｉｍｉｔｅｄ（ＬＰＬ）社製の「デカサンクリアグレイズ」（英国登録商標）が挙げられる。
【００２８】
ここで、「デカサンクリアグレイズ」は、無色透明の脂肪族ポリウレタンコーティング剤であり、その塗膜は耐久性に富み、水分の浸透を効果的に守ることができる。また、透明でウェット感のある美しい光沢性を有する仕上がりを実現でき、黄ばむことがない。更に、一液性で化学反応を起こしにくい脂肪族であり、優れた接着力、加水分解が起こりにくい性質、ブラシまたはローラーにより簡単に塗布可能であり、熱や紫外線に強く年中施工可能であり、部分補修が簡単であるといった特徴を有するものである。
【００２９】
なお、「デカサンクリアグレイズ」に関するデータは以下に示す表１の通りである。
【００３０】
【表１】
2012113551.tif 000003
【００３１】
また、ガラス連続繊維シート４は、補強用繊維シートとして機能するもので耐薬品性、耐久性に優れており、図２で示す様に、平帯状のガラス繊維糸が縦横斜めに編み込まれた構造となっている。具体的には、ガラス繊維糸が横方向に配置された第１のガラス繊維１１と、ガラス繊維糸が斜め方向（第１のガラス繊維を構成するガラス繊維糸と４５度の角度をなす方向）に配置された第２のガラス繊維１２と、ガラス繊維糸が縦方向に配置された第３のガラス繊維１３と、ガラス繊維糸が斜め方向（第１のガラス繊維を構成するガラス繊維糸と１３５度の角度をなす方向）に配置された第４のガラス繊維１４が編み込まれた構造となっている。
【００３２】
第１のガラス繊維１１は平帯状の複数の第１のガラス繊維糸１１Ａが横方向に所定の間隙を介して略平行に配置されており、第２のガラス繊維１２は平帯状の複数の第２のガラス繊維糸１２Ａが斜め方向（第１のガラス繊維糸１１Ａと４５度の角度をなす方向）に所定の間隙を介して略平行に配置されている。また、第３のガラス繊維１３は平帯状の第３のガラス繊維糸１３Ａが縦方向に所定の間隙を介して略平行に配置されており、第４のガラス繊維１４は平帯状の第４のガラス繊維糸１４Ａが斜め方向（第１のガラス繊維糸１１Ａと１３５度の角度をなす方向）に所定の間隙を介して略平行に配置されている。
【００３３】
ここで、第１のガラス繊維糸１１Ａ、第２のガラス繊維糸１２Ａ、第３のガラス繊維糸１３Ａ及び第４のガラス繊維糸１４Ａは、同一箇所で最大でも２つまでしか交差しない様に配置されている。
【００３４】
即ち、第１のガラス繊維糸１１Ａと第２のガラス繊維糸１２Ａの交点は第３のガラス繊維糸１３Ａ同士の間隙に位置すると共に第４のガラス繊維糸１４Ａ同士の間隙に位置し、第１のガラス繊維糸１１Ａと第３のガラス繊維糸１３Ａの交点は第２のガラス繊維糸１２Ａ同士の間隙に位置すると共に第４のガラス繊維糸１４Ａ同士の間隙に位置し、第１のガラス繊維糸１１Ａと第４のガラス繊維糸１４Ａの交点は第２のガラス繊維糸１２Ａ同士の間隙に位置すると共に第３のガラス繊維糸１３Ａ同士の間隙に位置し、第２のガラス繊維糸１２Ａと第３のガラス繊維糸１３Ａの交点は第１のガラス繊維糸１１Ａ同士の間隙に位置すると共に第４のガラス繊維糸１４Ａ同士の間隙に位置し、第２のガラス繊維糸１２Ａと第４のガラス繊維糸１４Ａの交点は第１のガラス繊維糸１１Ａ同士の間隙に位置すると共に第３のガラス繊維糸１３Ａ同士の間隙に位置し、第３のガラス繊維糸１３Ａと第４のガラス繊維糸１４Ａの交点は第１のガラス繊維糸１１Ａ同士の間隙に位置すると共に第２のガラス繊維糸１２Ａ同士の間隙に位置する様に配置されている。
【００３５】
なお、本実施の形態で使用したガラス連続繊維シート４の物性は以下に示す表２の通りである。
【００３６】
【表２】
2012113551.tif 000004
【００３７】
ここで、本実施の形態では、第１のガラス繊維糸１１Ａ、第２のガラス繊維糸１２Ａ、第３のガラス繊維糸１３Ａ及び第４のガラス繊維糸１４Ａが、同一箇所で最大でも２つまでしか交差しない様に配置されたガラス連続繊維シート４を使用した場合を例に挙げて説明を行っているが、ガラス連続繊維シート４は必ずしもこのような構成である必要はない。例えば、特開２０１０−１７０７号公報に記載されている様な、繊維糸（ヤーン）を０°、±４５°及び９０°に配列して格子状に組み合わせ、同一箇所で４本の繊維糸（ヤーン）が交差する様に編み込まれた構成のガラス連続繊維シート（例えば、日東紡績株式会社製「ガラス長繊維（四軸組布ＫＱ３８０）」）であっても良い。
【００３８】
但し、第１のガラス繊維糸１１Ａ、第２のガラス繊維糸１２Ａ、第３のガラス繊維糸１３Ａ及び第４のガラス繊維糸１４Ａが、同一箇所で最大でも２つまでしか交差しない様に配置されたガラス連続繊維シート４を使用した場合の方が、二次元コード本体１０をより鮮明に確認することができ、二次元コード本体１０の読み取りを一層容易に行うことが可能となる。
【００３９】
上記した本発明を適用した二次元コード１の透明度（透過率）の測定結果を表３（１）に示す。なお、表３（２）は、上述した特開２０１０−１７０７号公報に記載のガラス連続繊維シートを用いた場合の透明度（透過率）の測定結果である。
ここでのデータは、日本工業規格（ＪＩＳ規格）Ｋ７１３６の「プラスチック透明材料のヘーズの求め方」に基づいて作成されたものである。
【００４０】
【表３】
2012113551.tif 000005
【００４１】
表３からも明らかな様に、本発明を適用した二次元コード１は充分な透明度（透過率）を有しており、透明ポリウレタン樹脂３、ガラス連続繊維シート４、ポリウレタン樹脂５及び透明ポリウレタン樹脂６を介してでも、充分に二次元コード本体１０を読み取ることが可能である。
【００４２】
なお、本発明を適用した二次元コード１の各性能について表４に示す。
【００４３】
【表４】
2012113551.tif 000006
【００４４】
また、上記した本発明を適用した二次元コード１では、管理対象物２から引き剥がそうとすると、図３で示す様に、二次元コード本体１０が破れてしまうこととなり、管理対象物２と二次元コード１との一体不可分性を担保することができる。
【００４５】
図４は本発明を適用した二次元コード１を利用した建築物の管理システムの一例を説明するための模式図である。ここでは、施工業者が有する携帯電話機２１、施主が有する端末（パソコンや携帯電話）２２及び工務店が有する端末（パソコンや携帯電話）２３はインターネット２４を介して管理サーバ２５と相互に通信が可能である様に構成されている。
【００４６】
なお、施主が有する端末２２と管理サーバ２５との通信、並びに工務店が有する端末２３と管理サーバ２５との通信は、アクセスすることが可能であれば必ずしもインターネット接続を利用する必要はなく、ＬＡＮ（Ｌｏｃａｌ  Ａｒｅａ  Ｎｅｔｗｏｒｋ）接続や専用線接続等を利用しても良い。
【００４７】
ここで、携帯電話機２１は、管理対象物である建築物２６に貼り付けられた二次元コード１を読み取り可能に構成されており、二次元コード１を読み取ることで認識するＵＲＬから管理サーバ２５にアクセスすることができる。また、携帯電話機２１にはカメラ機能が搭載されており、管理対象物を撮像することができ、また、撮像した画像を管理サーバ２５に送信可能に構成されている。
【００４８】
なお、携帯電話機２１のカメラで撮像する画像には、撮像日時が画像ファイルの名称として記録されることとなる。例えば、２０１０年６月１０日の午前９時３０分に撮影した画像であれば、「２０１００６１００９３０」といった具合であり、２０１０年６月１２日の午後２時１５分に撮影した画像であれば「２０１００６１２１４１５」といった具合である。
【００４９】
また、管理サーバ２５は画像受信手段２７及び公開手段２８を有しており、画像受信手段２７は携帯電話機２１から送信された画像を受信し保存できる様に構成されている。なお、画像受信手段２７及び公開手段２８には、画像と共に、携帯電話機２１が電子メールを送信した送信日時も併せて保存できる様に構成されている。
【００５０】
更に、画像受信手段２７に保存された画像のうち、工務店が有する端末２３から公開が承認された画像は公開手段２８に保存されることとなる。なお、公開手段２８に保存された画像については、施主が有する端末２２から閲覧が可能となる。
【００５１】
図４に示す建築物の管理システムでは、施工業者は予め定められたタイミングで携帯電話機２１のカメラ機能を用いて写真を撮影する。具体的には、例えば、着工準備、仮設工事、地業・基礎工事、躯体工事、屋根工事、外部建具工事、外部仕上げ工事、断熱工事、造作工事、内部仕上工事、内部建具工事、雑工事、電気工事、給排水衛生工事、設備工事、外溝工事、オプション工事、社内検査、といったそれぞれの工程毎に写真を撮影する。
【００５２】
次に、携帯電話機２１で建築物２６に貼り付けられた二次元コード１を読み取り、管理サーバ２５のウェブサイトのアクセスを行う。なお、管理サーバ２５のウェブサイトにアクセスを行うと、ログインＩＤ及びパスワードの入力を求められ、施工業者に事前に通知された所定のログインＩＤ及びパスワードを入力することで、施工業者用のページにアクセスすることができる。
【００５３】
そして、施工業者は、施工業者用のページを通じて、携帯電話機２１で撮像した画像を管理サーバ２５に送信する。具体的には、例えば、施工業者用のページに記載されたメールアドレス（投稿用アドレス）宛に画像を添付した電子メールを送信することで、管理サーバ２５に画像を送信する。
【００５４】
なお、携帯電話機２１から送信された画像は、管理サーバ２５の画像受信手段２７に保存されることとなる。
【００５５】
続いて、工務店は、端末２３で管理サーバ２５のウェブサイトにアクセスを行う。なお、管理サーバ２５のウェブサイトにアクセスを行うと、ログインＩＤ及びパスワードの入力が求められ、工務店用のログインＩＤとパスワードを入力することで、工務店用のページにアクセスすることができる。
【００５６】
そして、工務店は、工務店用のページを通じて、施工業者から送信された画像の公開の承認を行う。なお、工務店用ページを通じて公開の承認がなされた画像については、上述した様に、画像受信手段２７から公開手段２８へと保存されることとなる。
【００５７】
その後、施主は、端末２２で管理サーバ２５のウェブサイトにアクセスを行い、施主用のログインＩＤとパスワードを入力することで、公開手段２８に保存された画像を閲覧することができる。
【００５８】
本発明を適用した二次元コード１では、上述の様に、管理対象物２との一体不可分性を担保することができるために、上述した様な建築物の管理システムを安定して運用することが可能となる。
即ち、二次元コード１と建築物との一体不可分性が担保されておらず、二次元コード１が建築物から容易に分離してしまう場合には、施工業者が画像を送信するといった作業が行えないといったケースも想定できる。また、一体不可分性が担保されているが故に、建築物の完成から長期間が経過した場合（例えば、２０年後のリフォームを検討しようとした場合）であっても施主が施工内容等を確認することができることとなる。
【００５９】
更に、一体不可分性が担保されているために、施工業者が進捗情報の報告の不正を行う等の意図をもって、故意に二次元コード１を建築物から剥離するといったケースを抑止することができ、充分な進捗管理をも実現することができる。
【００６０】
また、画像の撮影日時と電子メールの送信日時を画像受信手段２７及び公開手段２８に画像と共に保存しているために、画像の撮影日時や画像の送信日時の不正を抑止することが可能であり、また、事後的に画像の信憑性を確認することも可能となる。
【符号の説明】
【００６１】
１    二次元コード
２    管理対象物
３    透明ポリウレタン樹脂
４    ガラス連続繊維シート
５    ポリウレタン樹脂
６    透明ポリウレタン樹脂
１０    二次元コード本体
１１    第１のガラス繊維
１１Ａ  第１のガラス繊維糸
１２    第２のガラス繊維
１２Ａ  第２のガラス繊維糸
１３    第３のガラス繊維
１３Ａ  第３のガラス繊維糸
１４    第４のガラス繊維
１４Ａ  第４のガラス繊維糸
２１    携帯電話機
２２    端末
２３    端末
２４    インターネット
２５    管理サーバ
２６    建築物
２７    画像受信手段
２８    公開手段
【図１】
2012113551.tif 000007
【図２】
2012113551.tif 000008
【図３】
2012113551.tif 000009
【図４】
2012113551.tif 000010